(57)【要約】【課題】スループットを低下させることなく周波数の利用効率を向上させることが可能な基地局装置及びその制御方法を提供すること。【解決手段】一実施の形態によれば、無線基地局１は、各無線端末から受信した信号のパスロス値を測定するパスロス測定部１０２と、パスロス測定部１０２の測定結果に基づいて各無線端末がセルエッジに存在するか否かを判定するセルエッジ端末判定部１０３と、セルエッジ端末判定部１０３によってセルエッジに存在すると判定された無線端末のそれぞれのデータ送信に要するリソース量に基づいて、利用可能候補として設定された複数のリソースブロックの中からセルエッジにて利用可能なリソースブロックを決定するセルエッジ端末用周波数決定部１０４と、セルエッジ端末用周波数決定部によって決定されたリソースブロックを、セルエッジに存在する無線端末に割り当てるスケジューラ１０５と、を備える。【選択図】図１
2014187596.tif 000002
【特許請求の範囲】
【請求項１】
各無線端末から受信した信号のパスロス値を測定するパスロス測定部と、
前記パスロス測定部の測定結果に基づいて前記各無線端末がセルエッジに存在するか否かを判定するセルエッジ端末判定部と、
前記セルエッジ端末判定部によって前記セルエッジに存在すると判定された無線端末のそれぞれのデータ送信に要するリソース量に基づいて、所定の複数のリソースブロックの中から前記セルエッジにて利用可能なリソースブロックを決定するセルエッジ端末用周波数決定部と、
前記セルエッジ端末用周波数決定部によって決定されたリソースブロックを、前記セルエッジに存在する無線端末に割り当てるスケジューラと、を備えた基地局装置。
【請求項２】
前記セルエッジ端末用周波数決定部は、
前記セルエッジに存在すると判定された無線端末のそれぞれのデータ送信に要するリソース量が少ない場合には、前記セルエッジにて利用可能なリソースブロックの数を少なくし、
前記セルエッジに存在すると判定された無線端末のそれぞれのデータ送信に要するリソース量が多い場合には、前記セルエッジにて利用可能なリソースブロックの数を前記所定の複数のリソースブロックの数の範囲内で多くする、請求項１に記載の基地局装置。
【請求項３】
前記スケジューラは、前記所定の複数のリソースブロックのうち、前記セルエッジ端末用周波数決定部によって決定されたリソースブロック以外のリソースブロックを、セル内部に存在する無線端末に割り当てる、請求項１又は２に記載の基地局装置。
【請求項４】
前記所定の複数のリソースブロックは、隣接する他のセルのセルエッジにて利用可能候補として設定されたリソースブロックとは異なる、請求項１〜３の何れか一項に記載の基地局装置。
【請求項５】
前記各無線端末から受信した信号から各リソースブロックのＣＱＩを測定するＣＱＩ測定部をさらに備え、
前記セルエッジ端末用周波数決定部は、前記ＣＱＩ測定部の測定結果に基づいて、前記所定の複数のリソースブロックのうち、ＣＱＩの高いリソースブロックから順に前記セルエッジにて利用可能なリソースブロックを決定する、請求項１〜４の何れか一項に記載の基地局装置。
【請求項６】
前記各無線端末から受信した信号から各リソースブロックのＣＱＩを測定するＣＱＩ測定部をさらに備え、
前記セルエッジ端末用周波数決定部は、前記ＣＱＩ測定部の測定結果に基づいて、前記所定の複数のリソースブロックのうち、ＣＱＩの低いリソースブロックから順に前記セルエッジにて利用可能なリソースブロックを決定する、請求項１〜４の何れか一項に記載の基地局装置。
【請求項７】
前記各無線端末からのデータ送信量を測定する滞留バッファ測定部をさらに備え、
前記セルエッジ端末用周波数決定部は、前記セルエッジ端末判定部によって前記セルエッジに存在すると判定された無線端末の、それぞれのデータ送信量に基づいて、前記セルエッジにて利用可能なリソースブロックを決定する、請求項１〜６の何れか一項に記載の基地局装置。
【請求項８】
前記セルエッジ端末用周波数決定部は、前記セルエッジ端末判定部によって前記セルエッジに存在すると判定された無線端末の数に基づいて、前記セルエッジにて利用可能なリソースブロックを決定する、請求項１〜６の何れか一項に記載の基地局装置。
【請求項９】
前記各無線端末から受信した信号から各リソースブロックのＣＱＩを測定するＣＱＩ測定部をさらに備え、
前記セルエッジ端末判定部は、前記パスロス測定部の測定結果及び前記ＣＱＩ測定部の測定結果に基づいて、前記各無線端末がセルエッジに存在するか否かを判定する、請求項１〜８の何れか一項に記載の基地局装置。
【請求項１０】
各無線端末から受信した信号のパスロス値を測定し、
測定された前記パスロス値に基づいて前記各無線端末がセルエッジに存在するか否かを判定し、
前記セルエッジに存在すると判定された無線端末のそれぞれのデータ送信に要するリソース量に基づいて、所定の複数のリソースブロックの中から前記セルエッジにて利用可能なリソースブロックを決定し、
前記セルエッジにて利用可能となったリソースブロックを、前記セルエッジに存在する無線端末に割り当てる、基地局装置の制御方法。
【発明の詳細な説明】
【技術分野】
【０００１】
本発明は、基地局装置及びその制御方法に関する。
【背景技術】
【０００２】
３ＧＰＰ(3rd Generation Partnership Project)では、第３世代無線アクセス技術よりも広帯域なシステム帯域幅（周波数帯域）を利用することでさらに高速なデータ通信を可能にしたＬＴＥやＬＴＥ−Ａｄｖａｎｃｅｄ等の通信規格の移動通信システムの開発が進められている。
【０００３】
ＬＴＥ及びＬＴＥ−Ａｄｖａｎｃｅｄでは、例えば、下りリンク通信方式として、互いに直交するサブキャリアを用いてユーザ多重化を行うＯＦＤＭＡ(Orthogonal Frequency Division Multiple Access；直交周波数分割多元接続)方式が採用され、上りリンク通信方式として、ＳＣ−ＦＤＭＡ(Single-Carrier Frequency Division Multiple Access；シングルキャリア周波数分割多元接続)方式が採用されている。
【０００４】
なお、ＬＴＥ及びＬＴＥ−Ａｄｖａｎｃｅｄでは、上りリンク及び下がりリンクの何れの通信においても、各無線端末に対してリソースブロックが割り当てられる。なお、リソースブロックとは、データ通信に利用されるシステム帯域幅を単位周波数幅及び単位時間でそれぞれ区切ることにより規定される最小単位の帯域幅のことである。
【０００５】
例えば、基地局装置は、ＰＤＣＣＨ(Physical Downlink Control Channel；物理下りリンク制御チャネル)を用いて無線端末にリソースブロックの割り当て情報を通知する。無線端末は、ＰＤＣＣＨからの割り当て情報に基づき、ＰＤＳＣＨ(Physical Downlink Shared Channel；物理下りリンク共有チャネル)を用いて下りリンク受信を行うとともに、ＰＵＳＣＨ(Physical Uplink Shared Channel；物理上りリンク共有チャネル)を用いて上りリンク送信を行う。
【０００６】
ここで、ＬＴＥ及びＬＴＥ−Ａｄｖａｎｃｅｄでは、基地局装置に近いエリア（以下、セル内部と称す）で利用可能な周波数帯域と、基地局装置から遠いエリア（以下、セルエッジと称す）で利用可能な周波数帯域と、を分離するとともに、セルエッジに対してのみ隣接セル間で周波数繰り返しを行う、ＦＦＲ方式(Fractional Frequency Reuse；フラクショナル周波数リユース)の採用が検討されている。
【０００７】
ＦＦＲ方式では、隣接する複数のセルのそれぞれのセルエッジに対して異なるリソースブロックが利用可能に設定される。それにより、隣接セル間の干渉が抑制されるため、スループットが向上する。また、各セルのセル内部には、セルエッジにて利用可能なリソースブロック以外のリソースブロックが利用可能に予め設定される。それにより、セル内部及びセルエッジ間の干渉が抑制されるとともに、周波数の利用効率が向上する。
【０００８】
しかし、従来のＦＦＲ方式では、例えば、セルエッジに無線端末が存在しない場合でも、セルエッジに対して所定のリソースブロックが利用可能に予め設定されてしまうため、セル内部にて利用可能なリソースブロックが制限されてしまう。そのため、従来のＦＦＲ方式では、依然として周波数の利用効率が低下してしまうという問題があった。
【０００９】
ところで、特許文献１に開示された基地局装置は、無線端末がパスロスで区別される或るグループに属する場合、当該無線端末に対して特定のリソースブロックを割り当てるように促す。それにより、この基地局装置は、隣接セル間の干渉を抑制している。
【００１０】
また、特許文献２に開示された基地局は、セクタの境界（セルエッジ）に存在し、かつ、基地局の近くに存在する移動局（無線端末）に対し、当該移動局が属するセクタに隣接するセクタで利用されていない周波数領域を割り当てる。それにより、この基地局は、周波数の利用効率を向上させている。
【先行技術文献】
【特許文献】
【００１１】
【特許文献１】特開２０１０−２０６４７６号公報
【特許文献２】特開２０１１−００４０１４号公報
【発明の概要】
【発明が解決しようとする課題】
【００１２】
上記したように、従来のＦＦＲ方式が採用された移動通信システムでは、例えば、セルエッジに無線端末が存在しない場合でも、セルエッジに対して所定のリソースブロックが利用可能に予め設定されてしまうため、セル内部にて利用可能なリソースブロックが制限されてしまう。そのため、従来のＦＦＲ方式が採用された移動通信システムでは、周波数の利用効率が低下してしまうという問題があった。
【００１３】
本発明は、このような問題点を解決するためになされたものであり、スループットを低下させることなく周波数の利用効率を向上させることが可能な基地局装置及びその制御方法を提供することを目的とする。
【課題を解決するための手段】
【００１４】
一実施の形態によれば、基地局装置は、各無線端末から受信した信号のパスロス値を測定するパスロス測定部と、前記パスロス測定部の測定結果に基づいて前記各無線端末がセルエッジに存在するか否かを判定するセルエッジ端末判定部と、前記セルエッジ端末判定部によって前記セルエッジに存在すると判定された無線端末のそれぞれのデータ送信に要するリソース量に基づいて、所定の複数のリソースブロックの中から前記セルエッジにて利用可能なリソースブロックを決定するセルエッジ端末用周波数決定部と、前記セルエッジ端末用周波数決定部によって決定されたリソースブロックを、前記セルエッジに存在する無線端末に割り当てるスケジューラと、を備える。
【００１５】
一実施の形態によれば、基地局装置の制御方法は、各無線端末から受信した信号のパスロス値を測定し、測定された前記パスロス値に基づいて前記各無線端末がセルエッジに存在するか否かを判定し、前記セルエッジに存在すると判定された無線端末のそれぞれのデータ送信に要するリソース量に基づいて、所定の複数のリソースブロックの中からセルエッジにて利用可能なリソースブロックを決定し、セルエッジにて利用可能なリソースブロックとして決定されたリソースブロックを、前記セルエッジに存在する無線端末に割り当てる。
【発明の効果】
【００１６】
前記一実施の形態によれば、スループットを低下させることなく周波数の利用効率を向上させることが可能な基地局装置及びその制御方法を提供することができる。
【図面の簡単な説明】
【００１７】
【図１】実施の形態１にかかる無線基地局の構成例を示すブロック図である。
【図２】実施の形態１にかかる無線基地局の構成例を示すブロック図である。
【図３】実施の形態１にかかる無線基地局の構成例を示すブロック図である。
【図４】実施の形態１にかかる無線基地局の動作を示すフローチャートである。
【図５】実施の形態１にかかる無線基地局に設けられたセルエッジ端末用周波数決定部の動作の詳細を示すフローチャートである。
【図６】リソースブロックの割り当てを説明するための図である。
【図７】リソースブロックの割り当てを説明するための図である。
【図８】実施の形態２にかかる無線基地局の構成例を示すブロック図である。
【図９】実施の形態３にかかる無線基地局の構成例を示すブロック図である。
【図１０】実施の形態４にかかる無線基地局の構成例を示すブロック図である。
【図１１】実施の形態５にかかる無線基地局の構成例を示すブロック図である。
【発明を実施するための形態】
【００１８】
以下、図面を参照しつつ、実施の形態について説明する。なお、図面は簡略的なものであるから、この図面の記載を根拠として実施の形態の技術的範囲を狭く解釈してはならない。また、同一の要素には、同一の符号を付し、重複する説明は省略する。
【００１９】
以下の実施の形態においては便宜上その必要があるときは、複数のセクションまたは実施の形態に分割して説明するが、特に明示した場合を除き、それらはお互いに無関係なものではなく、一方は他方の一部または全部の変形例、応用例、詳細説明、補足説明等の関係にある。また、以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。
【００２０】
さらに、以下の実施の形態において、その構成要素（動作ステップ等も含む）は、特に明示した場合および原理的に明らかに必須であると考えられる場合等を除き、必ずしも必須のものではない。同様に、以下の実施の形態において、構成要素等の形状、位置関係等に言及するときは、特に明示した場合および原理的に明らかにそうでないと考えられる場合等を除き、実質的にその形状等に近似または類似するもの等を含むものとする。このことは、上記数等（個数、数値、量、範囲等を含む）についても同様である。
【００２１】
＜実施の形態１＞
図１は、実施の形態１にかかる無線基地局（基地局装置）１の構成例を示すブロック図である。本実施の形態にかかる無線基地局１は、セルエッジに存在する無線端末のそれぞれのデータ送信に要するリソース量に基づいて、セルエッジにて利用可能候補となっている所定の複数のリソースブロックの中からセルエッジにて利用可能なリソースブロックを決定する。それにより、本実施の形態にかかる無線基地局１は、スループットを低下させることなく周波数の利用効率を向上させることができる。以下、具体的に説明する。
【００２２】
（無線基地局の構成）
図１に示す無線基地局１は、信号受信部１００と、セルエッジ端末判定部１０３と、セルエッジ端末用周波数決定部１０４と、スケジューラ１０５と、を備える。
【００２３】
なお、無線基地局１を備えた移動通信システムでは、ＬＴＥやＬＴＥ−Ａｄｖａｎｃｅｄ等の通信規格が採用されている。さらに、無線基地局１を備えた移動通信システムでは、セル内部（基地局装置に近いエリア）にて利用可能な周波数帯域と、セルエッジ（基地局装置から遠いエリア）にて利用可能な周波数帯域と、を分離するとともに、セルエッジに対してのみ隣接セル間で周波数繰り返しを行う、ＦＦＲ方式が採用されている。したがって、隣接する複数のセルのそれぞれのセルエッジに対して異なるリソースブロックが利用可能に設定されている。それにより、隣接セル間の干渉を抑制してスループットを向上させている。
【００２４】
（信号受信部１００）
信号受信部１００は、無線基地局１が各無線端末（不図示）から受信した信号を処理する部である。信号受信部１００は、パスロス測定部１０２を少なくとも有する。
【００２５】
パスロス測定部１０２は、各無線端末から受信した信号のパスロスの値を測定する。なお、パスロスとは、無線周波数波形の減衰量のことである。
【００２６】
なお、図１には特に示されていないが、無線基地局１は、図２に示すように、信号受信部１００にＣＱＩ測定部１０１をさらに有している。ＣＱＩ測定部１０１は、各無線端末から受信した信号から、各リソースブロックのＣＱＩ(Channel Quality Indicator；チャネル品質)を測定する。後述するスケジューラ１０５は、この測定結果に基づいて、各無線端末に対してチャネル品質の高いリソースブロックを優先的に割り当てることができる。なお、リソースブロックとは、既に説明したように、データ通信に利用されるシステム帯域幅を単位周波数幅及び単位時間でそれぞれ区切ることにより規定される最小単位の帯域幅のことである。
【００２７】
（セルエッジ端末判定部１０３）
セルエッジ端末判定部１０３は、パスロス測定部１０２の測定結果（即ち、各無線端末から受信した信号のパスロスの値）に基づいて、各無線端末がセルエッジに存在するか否かを判定する。
【００２８】
例えば、セルエッジ端末判定部１０３は、ある無線端末から受信した信号のパスロスの値が所定値より小さい場合、当該無線端末がセル内部に存在していると判定する。また、セルエッジ端末判定部１０３は、ある無線端末から受信した信号のパスロスの値が所定値以上の場合、当該無線端末がセルエッジに存在すると判定する。
【００２９】
（セルエッジ端末用周波数決定部１０４）
セルエッジ端末用周波数決定部１０４は、セルエッジ端末判定部１０３により特定された各セルエッジ端末（セルエッジに存在する無線端末）のデータ送信に要するリソース量に基づいて、セルエッジにて利用可能な候補として予め設定されている複数のリソースブロックの中から、セルエッジにて利用可能なリソースブロックを決定する。本実施の形態では、セルエッジにて利用可能候補として予め３個のリソースブロックが設定されている場合を例に説明する。
【００３０】
例えば、各セルエッジ端末のデータ送信に要するリソースが無い場合、セルエッジ端末用周波数決定部１０４は、セルエッジにて利用可能なリソースブロックの数ＮをＮ＝０に設定する。このとき、セルエッジ端末用周波数決定部１０４は、セルエッジにて利用可能な候補として予め設定されている複数のリソースブロックのすべてをセル内部に解放する。
【００３１】
また、各セルエッジ端末のデータ送信に要するリソースが有るが第１所定値未満の場合、セルエッジ端末用周波数決定部１０４は、セルエッジにて利用可能なリソースブロックの数ＮをＮ＝１に設定する。このとき、セルエッジ端末用周波数決定部１０４は、セルエッジにて利用可能な候補として予め設定されている複数のリソースブロックの中から、セルエッジにて利用可能なリソースブロックを１個だけ選択し、残りの２個のリソースブロックをセル内部に解放する。
【００３２】
また、各セルエッジ端末のデータ送信に要するリソースが第１所定値以上で第２所定値（＞第１所定値）未満の場合、セルエッジ端末用周波数決定部１０４は、セルエッジにて利用可能なリソースブロックの数ＮをＮ＝２に設定する。このとき、セルエッジ端末用周波数決定部１０４は、セルエッジにて利用可能な候補として予め設定されている複数のリソースブロックの中から、セルエッジにて利用可能なリソースブロックを２個選択し、残りの１個のリソースブロックをセル内部に解放する。
【００３３】
また、各セルエッジ端末のデータ送信に要するリソースが第２所定値以上の場合、セルエッジ端末用周波数決定部１０４は、セルエッジにて利用可能なリソースブロックの数ＮをＮ＝３に設定する。このとき、セルエッジ端末用周波数決定部１０４は、セルエッジにて利用可能な候補として予め設定されている複数のリソースブロックの中から、セルエッジにて利用可能なリソースブロックを３個全て選択する。
【００３４】
なお、上記の例では、セルエッジ端末用周波数決定部１０４が、セルエッジにて利用可能なリソースブロックの数を４段階に切り替える場合を例に説明したが、これに限られない。セルエッジ端末用周波数決定部１０４は、セルエッジにて利用可能なリソースブロックの数を任意の段階に切り替える構成に適宜変更可能である。
【００３５】
また、上記の例では、セルエッジ端末用周波数決定部１０４が、各セルエッジ端末のデータ送信に要するリソース量に基づいて、セルエッジにて利用可能なリソースブロックを決定する場合を例に説明したが、より単純には、セルエッジ端末用周波数決定部１０４は、セルエッジ端末の数に基づいて、セルエッジにて利用可能なリソースブロックを決定する。
【００３６】
（スケジューラ１０５）
スケジューラ１０５は、各無線端末に対してリソース（リソースブロック）を割り当てる。このとき、スケジューラ１０５は、各セルエッジ端末に対して、セルエッジ端末用周波数決定部１０４により決定されたリソースブロックを割り当てるとともに、各セル内部端末（セル内部に存在する無線端末）に対して、それ以外の残りのリソースブロックを割り当てる。
【００３７】
なお、図１には特に示されていないが、無線基地局１は、図３に示すように、スケジューラ１０５によるスケジューリング結果を各無線端末に送信するＰＤＣＣＨ生成部１０６を備えている。各無線端末は、ＰＤＣＣＨ生成部１０６から送信されたスケジューリング結果を受け取った後、割り当てられたリソースにて基地局とのデータ通信を行う。これは、以下に示す他の実施形態においても同様である。
【００３８】
（無線基地局１の動作）
続いて、図１〜図７を参照して、無線基地局１の動作について詳細に説明する。図４は、無線基地局１の動作を示すフローチャートである。図５は、無線基地局１に設けられたセルエッジ端末用周波数決定部１０４の動作の詳細を示すフローチャートである。図６及び図７は、リソースブロックの割り当てを説明するための図である。
【００３９】
なお、既に説明したように、無線基地局１を備えた移動通信システムでは、ＦＦＲ方式が採用されている。本例では、隣接するセルＡ〜Ｃのそれぞれのセルエッジに対して異なるリソースブロックが利用可能候補として予め設定されている。具体的には、セルＡのセルエッジには、リソースブロックＲＢ０〜ＲＢ２が利用可能候補として予め設定されている。セルＢのセルエッジには、リソースブロックＲＢ３〜ＲＢ５が利用可能候補として予め設定されている。セルＣのセルエッジには、リソースブロックＲＢ６〜ＲＢ８が利用可能候補として予め設定されている。それにより、隣接セル間の干渉を抑制してスループットを向上させている。
【００４０】
初期状態では、図６に示すように、セルＡ〜Ｃのセルエッジにおいて、それぞれリソースブロックＲＢ０〜ＲＢ２、ＲＢ３〜ＲＢ５、ＲＢ６〜ＲＢ８が利用可能な状態となっている。また、各セルＡ〜Ｃの内部セルにおいて、セルエッジにて利用可能なリソースブロック以外のリソースブロックが利用可能と状態となっている。
【００４１】
まず、無線基地局１は、各無線端末から送信された信号（上りリンクの信号）を受信する（図４のステップＳ１０１）。このとき、信号受信部１００に設けられたパスロス測定部１０２は、各無線端末から受信した信号のパスロスの値を測定する。また、信号受信部１００に設けられたＣＱＩ測定部１０１（図２参照）は、各無線端末から受信した信号から、各リソースブロックのＣＱＩを測定する。
【００４２】
次に、セルエッジ端末判定部１０３は、各無線端末から受信した信号のパスロスの値に基づいて、各無線端末がセルエッジに存在するか否かを判定する（図４のステップＳ１０２）。
【００４３】
次に、セルエッジ端末用周波数決定部１０４は、セルエッジ端末判定部１０３により特定された各セルエッジ端末のデータ送信に要するリソース量に基づいて、セルエッジにて利用可能な候補として予め設定されている複数のリソースブロックの中から、セルエッジにて利用可能なリソースブロックを決定する（図４のステップＳ１０３）。
【００４４】
（セルエッジ端末用周波数決定部１０４の動作の詳細）
以下、図５を参照して、セルエッジ端末用周波数決定部１０４の動作の詳細について説明する。なお、以下では、特に断りが無い限り、セルＡに対するリソースブロックの割り当て動作について説明する。
【００４５】
まず、セルエッジ端末用周波数決定部１０４は、各セルエッジ端末のデータ送信に要するリソース量に基づいて、セルエッジにて利用可能なリソースブロックの数を決定する（図５のステップＳ２０１〜Ｓ２０３）。
【００４６】
例えば、各セルエッジ端末のデータ送信に要するリソースが無い場合（図５のステップＳ２０１のＮＯ）、即ち、セルエッジ端末が存在しない場合、セルエッジ端末用周波数決定部１０４は、セルエッジにて利用可能なリソースブロックの数ＮをＮ＝０に設定する（図５のステップＳ２０４）。
【００４７】
各セルエッジ端末のデータ送信に要するリソースが有るが第１所定値未満の場合（図５のステップＳ２０１のＹＥＳ→ステップＳ２０２のＹＥＳ）、即ち、セルエッジ端末が少ない場合、セルエッジ端末用周波数決定部１０４は、セルエッジにて利用可能なリソースブロックの数ＮをＮ＝１に設定する（図５のステップＳ２０５）。
【００４８】
各セルエッジ端末のデータ送信に要するリソースが第１所定値以上で第２所定値未満の場合（図５のステップＳ２０２のＮＯ→ステップＳ２０３のＹＥＳ）、即ち、セルエッジ端末の数が中程度の場合、セルエッジ端末用周波数決定部１０４は、セルエッジにて利用可能なリソースブロックの数ＮをＮ＝２に設定する（図５のステップＳ２０６）。
【００４９】
各セルエッジ端末のデータ送信に要するリソースが第２所定値以上の場合（図５のステップＳ２０３のＮＯ）、即ち、セルエッジ端末の数が多い場合、セルエッジ端末用周波数決定部１０４は、セルエッジにて利用可能なリソースブロックの数ＮをＮ＝３（最大）に設定する（図５のステップＳ２０７）。
【００５０】
次に、セルエッジ端末用周波数決定部１０４は、セルエッジにて利用可能な候補として予め設定されている３個のリソースブロックＲＢ０〜ＲＢ２の中から、セルエッジにて利用可能なリソースブロックをＮ個だけ選択する（図５のステップＳ２０８）。そして、セルエッジ端末用周波数決定部１０４は、残りの（３−Ｎ）個のリソースブロックをセル内部に解放する（図５のステップＳ２０９）。
【００５１】
図７の例では、セルＡにはセルエッジ端末が存在しない。そのため、セルエッジにて利用可能な候補として予め設定されているリソースブロックＲＢ０〜ＲＢ２は、何れもセル内部に解放されている。また、セルＢにはセルエッジ端末が少ない。そのため、セルエッジにて利用可能な候補として予め設定されているリソースブロックＲＢ３〜ＲＢ５のうち、１個のリソースブロックＲＢ４のみがセルエッジにて利用可能なリソースブロックとして選択され、残りの２個のリソースブロックＲＢ３，ＲＢ５がセル内部に解放されている。また、セルＣにはセルエッジ端末が多い。そのため、セルエッジにて利用可能な候補として予め設定されているリソースブロックＲＢ６〜ＲＢ８のうち、全てがセルエッジにて利用可能なリソースブロックとして選択され、セル内部には解放されていない。なお、セルＣにおいて、リソースを割り当てられなかったセルエッジ端末は、次の割り当てまで送信待機する。
【００５２】
図４に戻り、スケジューラ１０５は、例えばＣＱＩ測定部１０１（図２参照）の測定結果に基づいて、各無線端末に対してリソース（リソースブロック）を割り当てる（図４のステップＳ１０４）。このとき、スケジューラ１０５は、各セルエッジ端末に対して、セルエッジ端末用周波数決定部１０４により決定されたリソースブロックを割り当てるとともに、各セル内部端末に対して、それ以外のリソースブロックを割り当てる。なお、具体的な割り当て方法は、既存のリソース割り当て技術であるプロポーショナルフェアネス法やＭａｘ  ＣＩＲ法を用いても良いし、またはこれら以外のリソース割り当て技術を用いても良い。
【００５３】
次に、ＰＤＣＣＨ生成部１０６（図３参照）は、スケジューラ１０５によるスケジューリング結果を各無線端末に送信する（図４のステップＳ１０５）。各無線端末は、ＰＤＣＣＨ生成部１０６から送信されたスケジューリング結果を受け取った後、割り当てられたリソースにて基地局とのデータ通信を行う。
【００５４】
このように、本実施の形態にかかる無線基地局１は、セルエッジに存在する無線端末のそれぞれのデータ送信に要するリソース量に基づいて、セルエッジにて利用可能候補となっている所定の複数のリソースブロックの中から、セルエッジにて利用可能なリソースブロックを決定する。それにより、本実施の形態にかかる無線基地局１は、隣接セル間の干渉を抑制してスループットの低下を抑制するとともに、周波数の利用効率を向上させることができる。
【００５５】
＜実施の形態２＞
図８は、実施の形態２にかかる無線基地局２の構成例を示すブロック図である。図８に示す無線基地局２では、図２に示す無線基地局１と比較して、セルエッジ端末用周波数決定部１０４が、セルエッジ端末判定部１０３の判定結果に加え、さらにＣＱＩ測定部１０１の測定結果に基づいて、セルエッジにて利用可能なリソースブロックを決定する。
【００５６】
セルエッジ端末用周波数決定部１０４は、セルエッジ端末判定部１０３により特定された各セルエッジ端末のデータ送信に要するリソース量に基づいて、セルエッジにて利用可能な候補として予め設定されている複数のリソースブロックの中から、セルエッジにて利用可能なリソースブロックの数Ｎを決定する。そして、セルエッジ端末用周波数決定部１０４は、セルエッジにて利用可能な候補として予め設定されている複数のリソースブロックのうち、例えばＣＱＩの高いリソースブロックを優先的にＮ個選択する。
【００５７】
それにより、本実施の形態にかかる無線基地局２は、セルエッジ端末とのデータ通信の品質を向上させることができる。
【００５８】
本実施の形態では、セルエッジ端末用周波数決定部１０４が、セルエッジにて利用可能な候補として予め設定されている複数のリソースブロックのうち、ＣＱＩの高いリソースブロックを優先的にＮ個選択する場合を例に説明したが、これに限られない。例えば、セルエッジ端末用周波数決定部１０４は、セルエッジにて利用可能な候補として予め設定されている複数のリソースブロックのうち、例えばＣＱＩの低いリソースブロックブロックを優先的にＮ個選択し、残りのＣＱＩの高いリソースブロックをセル内部に解放する構成に適宜変更可能である。それにより、本実施の形態にかかる無線基地局２は、セル内部端末とのデータ通信の品質を向上させることができる。
【００５９】
＜実施の形態３＞
図９は、実施の形態３にかかる無線基地局３の構成例を示すブロック図である。図９に示す無線基地局３は、図８に示す無線基地局２と比較して、滞留バッファ測定部１０７をさらに備える。そして、セルエッジ端末用周波数決定部１０４は、セルエッジ端末判定部１０３の判定結果及びＣＱＩ測定部１０１の測定結果に加え、さらに滞留バッファ測定部１０７の測定結果に基づいて、セルエッジにて利用可能なリソースブロックを決定する。
【００６０】
滞留バッファ測定部１０７は、各無線端末からのバッファ量（データ送信量）を測定する。それにより、セルエッジ端末用周波数決定部１０４は、セルエッジ端末判定部１０３により特定されたセルエッジ端末の、それぞれのバッファ量（即ち、各セルエッジ端末のデータ送信に要するリソース量）を算出することが可能となる。その結果、例えば、セルエッジ端末が多数存在しているがデータ送信量が少ない場合や、逆にセルエッジ端末が少ないがデータ送信量が非常に多い場合などでも、柔軟にセルエッジ端末へのリソースブロックの割り当てが可能となる。
【００６１】
＜実施の形態４＞
図１０は、実施の形態４にかかる無線基地局４の構成例を示すブロック図である。図１０に示す無線基地局４では、図８に示す無線基地局２と比較して、セルエッジ端末判定部１０３が、パスロス測定部１０２の測定結果に加え、さらにＣＱＩ測定部１０１の測定結果に基づいて、各無線端末がセルエッジに存在するか否かを判定する。
【００６２】
それにより、本実施の形態にかかる無線基地局４は、各無線端末がセルエッジに存在するか否かの判定精度を向上させることができる。
【００６３】
＜実施の形態５＞
図１１は、実施の形態５にかかる無線基地局５の構成例を示すブロック図である。図１１に示す無線基地局５は、図８〜図１０に示す無線基地局２〜４の特徴を組み合わせて構成されている。
【００６４】
それにより、本実施の形態にかかる無線基地局５は、図８〜図１０に示す無線基地局２〜４のそれぞれと同等の効果を奏することができる。なお、無線基地局５は、図８〜図１０に示す無線基地局２〜４の何れか２つの特徴を組み合わせて構成されてもよい。
【００６５】
以上のように、上記実施の形態１〜５にかかる無線基地局は、セルエッジに存在する無線端末のそれぞれのデータ送信に要するリソース量に基づいて、セルエッジにて利用可能候補となっている所定の複数のリソースブロックの中から、セルエッジにて利用可能なリソースブロックを決定する。それにより、上記実施の形態１〜５にかかる無線基地局は、隣接セル間の干渉を抑制してスループットの低下を抑制するとともに、周波数の利用効率を向上させることができる。
【００６６】
（関連技術との差異）
まず、特許文献１に開示された基地局装置は、セル端に存在する無線端末に対して特定のリソースブロックを割り当てるように促すにすぎず、セル端にて利用可能なリソースブロックは、厳密には固定されていない。そのため、あるセルのセル端に存在する無線端末に対して割り当てられるリソースブロックと、隣接するセルのセル端に存在する無線端末に対して割り当てられるリソースブロックと、が同じになってしまう可能性がある。この場合、隣接セル間で干渉が発生してしまうため、スループットが低下してしまう可能性がある。それに対し、本発明にかかる無線基地局では、あるセルのセルエッジにて利用可能候補となっているリソースブロックと、隣接するセルのセルエッジにて利用可能候補となっているリソースブロックと、が異なるように予め設定されている。そのため、本発明にかかる無線基地局では、関連技術のような問題は生じない。
【００６７】
次に、特許文献２に開示された基地局は、セクタの境界かつ基地局の近くに存在する移動局に対し隣接するセクタで使用されていない周波数領域を割り当てるために、隣接するセクタで使用される周波数領域を常に監視していなければならない。したがって、例えば、基地局間で通信用のインタフェースを利用して常に情報のやり取りをする必要がある。そのため、この関連技術の構成では、制御が複雑になってしまう可能性がある。それに対し、本発明にかかる無線基地局では、あるセルのセルエッジにて利用可能候補となっているリソースブロックと、隣接するセルのセルエッジにて利用可能候補となっているリソースブロックと、が異なるように予め設定されている。そのため、本発明にかかる無線基地局は、隣接するセクタで使用される周波数領域を監視することなく、各セルで独立してスケジューリングを行うことが可能である。
【００６８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００６９】
１〜５  無線基地局
１００  信号受信部
１０１  ＣＱＩ測定部
１０２  パスロス測定部
１０３  セルエッジ端末判定部
１０４  セルエッジ端末用周波数決定部
１０５  スケジューラ
１０６  ＰＤＣＣＨ生成部
１０７  滞留バッファ測定部
【図１】
2014187596.tif 000003
【図２】
2014187596.tif 000004
【図３】
2014187596.tif 000005
【図４】
2014187596.tif 000006
【図５】
2014187596.tif 000007
【図６】
2014187596.tif 000008
【図７】
2014187596.tif 000009
【図８】
2014187596.tif 000010
【図９】
2014187596.tif 000011
【図１０】
2014187596.tif 000012
【図１１】
2014187596.tif 000013